(57)【要約】【課題】建物内空間に形成される畳コーナーを必要に応じて容易に増加させ得る収納箱を提供する。【解決手段】畳コーナー収納箱１は、上面側が畳部１３とされ、床２上に設置される収納箱本体１０と、前記収納箱本体の一側部に設けられた開口１７を介して該収納箱本体に出し入れ自在とされた引出体２０と、前記引出体が引き出された状態において、該引出体に載せ置かれて該引出体の上方開口２９を覆い、かつ、該引出体に載せ置かれた状態で前記収納箱本体の畳部の一側部１３ａに連なるように配置される畳部３２を上面側に有した蓋体３０と、を備えている。【選択図】図１
2013042863.tif 000002
【特許請求の範囲】
【請求項１】
上面側が畳部とされ、床上に設置される収納箱本体と、
前記収納箱本体の一側部に設けられた開口を介して該収納箱本体に出し入れ自在とされた引出体と、
前記引出体が引き出された状態において、該引出体に載せ置かれて該引出体の上方開口を覆い、かつ、該引出体に載せ置かれた状態で前記収納箱本体の畳部の一側部に連なるように配置される畳部を上面側に有した蓋体と、
を備えていることを特徴とする畳コーナー収納箱。
【請求項２】
請求項１において、
前記引出体の前板の上端部には、天井側に設けられた保持部に上端部が保持される間仕切パネルの下端部を保持する下端保持部が設けられていることを特徴とする畳コーナー収納箱。
【請求項３】
請求項１または２において、
前記蓋体が前記引出体に載せ置かれた状態において、前記引出体の前板の上端部と前記収納箱本体の畳部の一側部とによって前記引出体の出し入れ方向に沿う方向への前記蓋体の移動が抑制される構造とされていることを特徴とする畳コーナー収納箱。
【請求項４】
請求項１乃至３のいずれか１項において、
前記収納箱本体の畳部と前記蓋体の畳部とは、少なくとも前記引出体の出し入れ方向に直交する方向に沿う幅寸法が略同寸法とされていることを特徴とする畳コーナー収納箱。
【請求項５】
請求項１乃至４のいずれか１項において、
前記引出体は、下面側に設けられた車輪によって出し入れ自在に床上に支持される構造とされていることを特徴とする畳コーナー収納箱。
【発明の詳細な説明】
【技術分野】
【０００１】
本発明は、建物内空間に畳コーナーを形成する収納箱に関する。
【背景技術】
【０００２】
従来より、上面に畳を載せ置き、下方側空間が収納部とされた収納箱が知られている（例えば、下記特許文献１及び下記特許文献２参照）。
このような収納箱は、上方に開口する収納箱の開口を、収納箱に回動自在に連結された蓋体によって開閉する構造とされていたり、収納箱の側方開口を介して出し入れ自在に引出を設けた構造とされている。
また、このような収納箱は、平面視における寸法が畳半帖や畳一帖程度とされており、これらを複数、並べることで、これらによって建物内空間に畳コーナーを形成することが行われている。
【先行技術文献】
【特許文献】
【０００３】
【特許文献１】特開２００３−２２５１２８号公報
【特許文献２】特開２００９−２２６８２号公報
【発明の概要】
【発明が解決しようとする課題】
【０００４】
しかしながら、上記したような従来の収納箱では、畳コーナーの面積を増加させたい場合には、新たに収納箱を並べる必要があり、更なる改善が望まれていた。
【０００５】
本発明は、上記実情に鑑みてなされたものであり、建物内空間に形成される畳コーナーを必要に応じて容易に増加させ得る収納箱を提供することを目的としている。
【課題を解決するための手段】
【０００６】
上記目的を達成するために、本発明に係る畳コーナー収納箱は、上面側が畳部とされ、床上に設置される収納箱本体と、前記収納箱本体の一側部に設けられた開口を介して該収納箱本体に出し入れ自在とされた引出体と、前記引出体が引き出された状態において、該引出体に載せ置かれて該引出体の上方開口を覆い、かつ、該引出体に載せ置かれた状態で前記収納箱本体の畳部の一側部に連なるように配置される畳部を上面側に有した蓋体と、を備えていることを特徴とする。
【０００７】
本発明においては、前記引出体の前板の上端部に、天井側に設けられた保持部に上端が保持される間仕切パネルの下端部を保持する下端保持部を設けるようにしてもよい。
また、本発明においては、前記蓋体が前記引出体に載せ置かれた状態において、前記引出体の前板の上端部と前記収納箱本体の畳部の一側部とによって前記引出体の出し入れ方向に沿う方向への前記蓋体の移動が抑制される構造としてもよい。
また、本発明においては、前記収納箱本体の畳部と前記蓋体の畳部とを、少なくとも前記引出体の出し入れ方向に直交する方向に沿う幅寸法が略同寸法とされたものとしてもよい。
また、本発明においては、前記引出体を、下面側に設けられた車輪によって出し入れ自在に床上に支持させる構造としてもよい。
【発明の効果】
【０００８】
本発明に係る畳コーナー収納箱は、上述のような構成としたことで、建物内空間に形成される畳コーナーを必要に応じて容易に増加させることができる。
【図面の簡単な説明】
【０００９】
【図１】（ａ）〜（ｃ）はいずれも本発明の一実施形態に係る畳コーナー収納箱の一例を模式的に示す概略縦断面図である。
【図２】（ａ）、（ｂ）は、複数の同畳コーナー収納箱を設置した状態の一例を模式的に示し、（ａ）は、一部破断概略斜視図、（ｂ）は、概略平面図である。
【図３】（ａ）、（ｂ）は、図２（ａ）、（ｂ）にそれぞれ対応させて同畳コーナー収納箱が備える引出体を引き出した状態を模式的に示し、（ａ）は、一部破断概略斜視図、（ｂ）は、概略平面図である。
【図４】（ａ）、（ｂ）は、図３（ａ）、（ｂ）にそれぞれ対応させて同畳コーナー収納箱が備える引出体に蓋体を載せ置いた状態を模式的に示し、（ａ）は、一部破断概略斜視図、（ｂ）は、概略平面図である。
【図５】（ａ）、（ｂ）は、図４（ａ）、図２（ａ）にそれぞれ対応させて同畳コーナー収納箱に間仕切パネルの一例を保持させた状態をそれぞれ模式的に示す一部破断概略斜視図である。
【図６】図５（ｂ）に対応させた概略側面図である。
【発明を実施するための形態】
【００１０】
以下に本発明の実施の形態について、図面に基づいて説明する。
なお、一部の図では、他図に付している詳細な符号の一部を省略している。
また、以下の実施形態では、図２（ｂ）におけるＸ方向から見た状態を基準として、手前側を前方、その逆側を後方とし、また、その状態を基準として、上下方向及び左右方向等の方向を原則的に説明する。
【００１１】
図１〜図６は、本実施形態に係る畳コーナー収納箱の一例について説明するための概念的な説明図である。
本実施形態に係る畳コーナー収納箱１は、図１に示すように、床２上に設置される収納箱本体１０と、この収納箱本体１０の一側部に設けられた開口（前方開口）１７を介して収納箱本体１０に出し入れ自在とされた引出体２０と、を備えている。また、畳コーナー収納箱１は、引出体２０が引き出された状態において、この引出体２０に載せ置かれて引出体２０の上方開口２９を覆う蓋体３０を備えている。
【００１２】
収納箱本体１０は、天板１１と背板１４と左右の側板１５，１５（図２（ｂ）も参照）とを備え、これらによって前方及び下方に向けて開口する箱形状とされ、引出体２０の収納空間を形成している。なお、さらに底板（地板）を備えた構成としてもよい。
天板１１は、収納箱本体１０の上面側を形成する畳部１３と、この畳部１３の下面側に設けられた下板部１２とからなる。畳部１３は、平面視における寸法が、畳半帖や畳一帖程度とされたものとしてもよく、さらにはそれ以外の寸法とされたものとしてもよいが、本実施形態では、畳部１３を畳半帖とした例を示している。また、本実施形態では、これら畳部１３及び下板部１２の平面視における形状を、略同寸同形状とした例を示している。なお、畳部１３は、下板部１２に固定されたものとしてもよく、または、取り外し自在に下板部１２に載置されるものとしてもよい。また、畳部１３のみによって天板１１を構成するようにしてもよい。さらには、天板１１を収納箱本体１０の背板１４及び左右の側板１５，１５に対して開閉自在または取り外し自在に設けるようにしてもよい。
【００１３】
左右の側板１５，１５の前端部内側面には、縦桟材１６，１６がそれぞれに設けられている（図２（ｂ）も参照）。これら縦桟材１６，１６は、収納箱本体１０の前方開口１７の補強としての機能と、後記する引出体２０の前方開口１７からの抜止（ストッパー）としての機能とを兼ね備えている。なお、このような縦桟材１６，１６を設ける態様に代えて、天板１１（下板部１２）の前端部下面に、後記する引出体２０の背板２４の上端部前面に当接するストッパー片等を設ける態様としてもよい。また、その他、引出体２０の前方開口１７からの抜止（ストッパー）として機能するストッパー部を当該収納箱本体１０の適所に設けるようにしてもよい。
【００１４】
引出体２０は、前板２１と背板２４と左右の側板２６，２６（図３（ｂ）も参照）と底板２７とを備え、これらによって上方に向けて開口する箱形状とされ、収納部を形成している。
前板２１は、下端面が床２に近接対面するように底板２７よりも下方側に延び、左右の側板２６，２６及び底板２７の前端に固定された下側前板部２２と、この下側前板部２２の上端部に設けられた框状部２３とを備えている。この前板２１の左右寸法（引出体２０の出し入れ方向に直交する方向に沿う幅寸法）は、収納箱本体１０の畳部１３の左右寸法と略同寸法とされており、収納箱本体１０の前方開口１７を略閉塞し得る構成とされている。なお、前板２１の上端部となる框状部２３の左右寸法のみを収納箱本体１０の畳部１３の左右寸法と略同寸法とし、下側前板部２２の左右寸法を、これらよりも小さい寸法としてもよい。
【００１５】
框状部２３は、左右の側板２６，２６の上端面２６ａ，２６ａよりも上方に向けて突出する部位を有するとともに、下側前板部２２の前面よりも前方に突出する部位を有している。この框状部２３は、その上端面が、図１（ａ）に示すように、引出体２０が収納箱本体１０に収納された状態で、収納箱本体１０の畳部１３の上面に連なるように畳部１３の上面と略同一平面状となるように形成されている。このような框状部２３を設けることで、畳コーナー収納箱１によって形成される畳コーナーの前端に框が設けられたような印象を与えることができる（図２（ａ）及び図４（ａ）も参照）。
また、この框状部２３の上端部には、後記する間仕切パネル８の下端部８ｂ（図５及び図６参照）を保持する下端保持部２３ｂが設けられている。図例では、下端保持部として、框状部２３の上端面に、上方に向けて開口する係合凹溝２３ｂを、左右方向（引出体２０の出し入れ方向に直交する方向に沿う方向）の全長に亘って設けた例を示している。なお、図例では、前板２１の下側前板部２２と框状部２３とを別部材とした例を示しているが、一体的に上記形状とされたものとしてもよい。また、図例のように下側前板部２２と框状部２３との間に段差が形成されるものに限られず、前面側が略平坦面とされた前板２１としてもよい。
【００１６】
当該引出体２０の下面側には、当該引出体２０を出し入れ自在に床２上に支持する車輪としてのキャスター２８が設けられている。このキャスター２８は、引出体２０及びこれに収納される収納物等の荷重等を考慮して適宜のものとすればよく、また、適宜の箇所に設けるようにすればよい。例えば、底板２７の四隅や左右の側板２６，２６の前後等に設けるようにしてもよい。また、図例では、当該引出体２０を出し入れ自在に床２上に支持する車輪として、キャスター２８を例示しているが、底板２７や左右の側板２６，２６等に埋め込むようにして車輪としてのコロ部材を設けた態様としてもよい。
【００１７】
また、本実施形態では、引出体２０の後端部両側に、引き出された当該引出体２０の前方側への移動を抑制する被ストッパー部としての被ストッパー片２５，２５を設けている（図２（ｂ）及び図３（ｂ）も参照）。図例では、引出体２０の後端部両側から左右方向外方側に向けて薄板状の被ストッパー片２５，２５を突出させるようにそれぞれ設けた例を示している。
これら被ストッパー片２５，２５が、当該引出体２０が引き出された際に、収納箱本体１０の前方開口１７の開口縁に設けられたストッパー部としての縦桟材１６，１６にそれぞれ当接し、当該引出体２０の前方側への移動が抑制される。なお、引出体２０の被ストッパー部としては、収納箱本体１０側に設けられる上記ストッパー部の態様に応じて適宜のものが採用可能であり、背板２４の上端部を被ストッパー部とする態様としてもよい。また、収納箱本体１０に収納された状態の引出体２０の前方側への移動を抑制するロック機構等を更に設けるようにしてもよい。
【００１８】
上記構成とされた引出体２０は、図１（ａ）に示すように、収納箱本体１０に収納された収納位置と、図１（ｂ）に示すように、収納箱本体１０から引き出された位置との間を前後方向に移動自在とされている。また、当該引出体２０を引き出し、上方開口２９を介して収納物の出し入れが可能とされている。
【００１９】
蓋体３０は、図１（ｂ）及び図４（ｂ）に示すように、略矩形平板状とされており、上面側が畳部３２とされ、この畳部３２の下面側に下板部３１を設けた構造とされている。本実施形態では、これら畳部３２及び下板部３１の平面視における形状を、略同寸同形状とした例を示している。
この蓋体３０は、図１（ｃ）に示すように、引き出された状態における引出体２０に載せ置かれた状態で、上面側の畳部３２が収納箱本体１０の畳部１３の一側部１３ａ（天板１１の前端面１１ａ）に連なるように配置される。図例では、引出体２０の左右の側板２６，２６の上端面２６ａ，２６ａに蓋体３０を載せ置いた例を示している。また、蓋体３０は、引出体２０に載せ置かれた状態で、その畳部３２の上面が、収納箱本体１０の畳部１３の上面に連なるように畳部１３の上面と略同一平面状となるように形成されている。
【００２０】
また、蓋体３０の畳部３２と収納箱本体１０の畳部１３とは、少なくとも左右寸法（引出体２０の出し入れ方向に直交する方向に沿う幅寸法）が略同寸法とされている。また、本実施形態では、蓋体３０の畳部３２の前後寸法（引出体２０の出し入れ方向にに沿う寸法）を、収納箱本体１０の畳部１３の前後寸法よりも僅かに小さい寸法とし、この蓋体３０の畳部３２を略畳半帖とした例を示している。なお、蓋体３０の畳部３２の前後寸法を、収納箱本体１０の畳部１３の前後寸法よりも僅かに大きい寸法としてもよく、または、これらの前後寸法を略同寸法としてもよい。これらの場合には、収納箱本体１０から引き出された状態における引出体２０の残り代を考慮して、引出体２０の前板２１の上端部の形状を適宜、変形するようにしてもよい。また、本実施形態では、畳部３２と下板部３１とを備えた蓋体３０を例示しているが、畳部３２のみによって蓋体３０を構成するようにしてもよい。
【００２１】
また、本実施形態では、蓋体３０が引出体２０に載せ置かれた状態において、引出体２０の前板２１の上端部と収納箱本体１０の畳部１３の一側部１３ａとによって前後方向（引出体２０の出し入れ方向に沿う方向）への蓋体３０の移動が抑制される構造とされている。
図例では、図１（ｃ）に示すように、蓋体３０の後端面３３を、収納箱本体１０の畳部１３の一側部１３ａ（天板１１の前端面１１ａ）に当接または近接対面させ、蓋体３０の前端面３４を、引出体２０の上端部となる框状部２３の突出部位の後面２３ａに当接または近接対面させることで、蓋体３０の前後方向への移動を抑制する構造としている。つまり、蓋体３０の前後寸法を、収納箱本体１０の天板１１の前端面１１ａと引き出された状態の引出体２０の框状部２３の突出部位の後面２３ａとの間の寸法よりも僅かに小さい寸法としている。これにより、収納箱本体１０の天板１１の前端面１１ａと、引出体２０の框状部２３の突出部位の後面２３ａとの間に、蓋体３０を嵌め込むようにして引き出された状態の引出体２０に載せ置き、蓋体３０の前後方向への移動を抑制する構造としている。
【００２２】
また、上記のように蓋体３０を引出体２０に載せ置いた状態では、引出体２０の後方側（収納方向側）への移動が蓋体３０によって抑制される。
上記構造によれば、引出体２０に載せ置かれた蓋体３０の前後方向への位置ズレを簡易な構造で抑制することができる。また、上記構造によれば、引き出された引出体２０の後方側への移動の抑制も兼ねることができる。
なお、引出体２０に載せ置かれた蓋体３０の前後方向への移動を抑制する態様や引き出された引出体２０の後方側への移動を抑制する態様としては、上記した例に限られず、その他、種々の態様の採用が可能である。例えば、蓋体３０の下面側及び引出体２０の左右の側板２６，２６または前板２１に互いに係合して蓋体３０の前後方向への移動を抑制する係合部等を設けた態様としてもよい。また、引出体２０の車輪２８や前板２１、左右の側板２６，２６等に、引出体２０の後方側への移動を抑制する種々のストッパー機構を設けた態様としてもよい。
【００２３】
また、蓋体３０が引出体２０に載せ置かれた状態において、左右方向への蓋体３０の移動を抑制する左右方向移動抑制部を設けるようにしてもよい。例えば、上記同様、蓋体３０の下面側及び引出体２０の左右の側板２６，２６または前板２１に互いに係合して蓋体３０の左右方向への移動を抑制する係合部等を左右方向移動抑制部として設けた態様としてもよい。
また、収納箱本体１０、引出体２０及び蓋体３０を構成する各板及び各板部は、各畳部１３，３２を除いて、木質系材料を板状に加工した基材に、適宜、合成樹脂シートや突板等の表面化粧シートを貼着した構成としてもよい。上記木質系材料としては、合板やＬＶＬ（単板積層材）等の木質積層板、パーティクルボード等の木質ボード、またはインシュレーションボードやＭＤＦ（中密度繊維板）等の木質繊維板などが挙げられる。また、上記基材としては、上記木質系材料に限られず、合成樹脂系材料に、木粉や無機フィラー、相溶化剤、着色剤などを所定の含有割合で含有させた木粉・プラスチック複合材（ＷＰＣ）や、合成樹脂系材料、金属系材料等としてもよい。
【００２４】
上記構成とされた畳コーナー収納箱１によれば、建物内空間に形成される畳コーナーを必要に応じて容易に増加させることができる。
つまり、引出体２０を収納箱本体１０に収納させた状態では、当該収納箱本体１０の畳部１３によって畳コーナーを形成することが可能となる。また、引出体２０を収納箱本体１０から引き出して、蓋体３０を載せ置くことで、この蓋体３０の上面側の畳部３２と収納箱本体１０の畳部１３とが連なり、当該畳コーナー収納箱１によって形成される畳コーナーの面積を増加させることができる。つまり、蓋体３０の畳部３２の面積に相当する畳コーナーを容易に増加させることができる。
また、このように畳コーナーを容易に増加させることが可能でありながらも、蓋体３０を取り外すことで、引出体２０への収納物の出し入れは可能である。つまり、畳コーナーを増加させる場合には、引出型の収納箱の前方に連なるように別途、新たに畳コーナーを形成する収納箱を設置することも考えられるが、この場合は、既設の収納箱の引出の利用が困難となり、設置順序を代えるなど大掛かりな作業を要する場合がある。本実施形態によれば、別途に収納箱を必要とすることなく、また、上記のような大掛かりな作業を必要とすることなく、さらに、収納箱としての機能を阻害することなく、畳コーナーを容易に増加させることができる。
【００２５】
また、本実施形態では、畳コーナー収納箱１の引出体２０の前板２１の上端部に、間仕切パネル８の下端部８ｂを保持する下端保持部２３ｂを設けている。従って、当該畳コーナー収納箱１を、畳コーナー上の空間を他の室内空間から区画して畳ルームを形成する間仕切パネル８の下端部８ｂの保持部として機能させることができる。特に、引出体２０の前板２１にこのような下端保持部２３ｂを設けることで、詳細については後述するが、畳コーナー収納箱１と間仕切パネル８とによって形成される畳ルームを簡易に増減させることができる。
【００２６】
さらに、本実施形態では、収納箱本体１０の畳部１３及び蓋体３０の畳部３２の左右寸法を略同寸法としている。従って、複数の畳コーナー収納箱１を左右に横並びに床２上に設置することで隣り合う収納箱本体１０の畳部１３同士が連なり、これらによって畳コーナーを形成することができる。
また、これら複数の畳コーナー収納箱１のそれぞれの引出体２０を引き出し、蓋体３０を載せ置くことで、それぞれの蓋体３０の畳部３２と収納箱本体１０の畳部１３とが前後に連なるとともに隣り合う蓋体３０の畳部３２同士が左右に連なり、これらによって見栄え良く畳コーナーを形成することができる。
【００２７】
さらにまた、本実施形態では、引出体２０を、下面側に設けられた車輪２８によって出し入れ自在に床２上に支持される構造としている。従って、引出体２０の荷重を車輪２８で受けることができ、この引出体２０及びこの引出体２０に載せ置かれる蓋体３０を、例えばスライドレール等によって収納箱本体１０に引出体２０を支持させるものと比べて安定的に支持させることができる。なお、引出体２０の支持構造としては、車輪２８によって床２上に支持させる態様に代えて、収納箱本体１０の左右の側板１５，１５と引出体２０の左右の側板２６，２６とをスライドレール等によって連結することで支持する構造としてもよい。
【００２８】
次に、本実施形態に係る畳コーナー収納箱１の使用態様の一例について、図２〜図６を参照して説明する。
本例では、複数（図例では、四つ）の畳コーナー収納箱１，１，１，１を左右に並べるようにして設置し、建物内空間に床２よりも段上がり状の畳コーナーを形成した例を示している。また、本例では、建物内空間に畳コーナーを形成する畳コーナーユニット９の一構成要素として、本実施形態に係る畳コーナー収納箱１を適用した例を示している。また、本例では、図２（ｂ）に示すように、三方（後方及び左右）が壁６，６，６によって囲まれた空間に畳コーナーユニット９を設けた例を示している。
【００２９】
本例の畳コーナーユニット９は、本実施形態に係る畳コーナー収納箱１とは構成が異なる複数（図例では、二つ）の他の畳コーナー収納箱７，７を備えており、これらを後方側の壁６に沿わせるようにして左右に横並びに設けた例を示している。また、これら他の畳コーナー収納箱７，７の前方側に連なるように、本実施形態に係る複数の畳コーナー収納箱１，１，１，１を設けた例を示している。また、図例では、これら複数の収納箱１，７からなる畳コーナーユニット９の後方側及び左右側を三方の壁６，６，６にそれぞれ沿わせるようにこれら三方の壁６，６，６に当接または近接させて設置した例を示している。また、本例の畳コーナーユニット９は、図５及び図６に示すように、これら収納箱１，７によって形成される畳コーナーを間仕切り、畳ルームを形成する間仕切パネル８を備えている。
なお、以下では、本実施形態に係る畳コーナー収納箱１を、第１畳コーナー収納箱１とし、他の畳コーナー収納箱７を第２畳コーナー収納箱７として便宜的に説明する。
【００３０】
第２畳コーナー収納箱７は、上面側が畳部とされた蓋体（扉体）７ａと、この蓋体７ａによって上方開口が開閉される収納箱本体７ｂとを備えている。本例では、第２畳コーナー収納箱７は、その収納箱本体７ｂの下側部位を、床２の床下凹所（または床下空間）３に埋め込むようにして設けた半床下型（深型）とされている。また、図３（ａ）に示すように、蓋体７ａは、収納箱本体７ｂの後方側部位に連結機構によって連結されており、収納箱本体７ｂに対して回動して開閉がなされる構造とされている。このような連結機構としては、適宜、公知の機能の採用が可能であり、複数のアームをリンク状に連結したリンク機構やヒンジ等を採用するようにしてもよい。また、このような態様に代えて、収納箱本体７ｂに載せ置かれる置蓋式の蓋体７ａを採用するようにしてもよい。
【００３１】
また、この第２畳コーナー収納箱７は、平面視における寸法が畳一帖程度とされている。図例では、蓋体７ａに畳半帖の畳部を左右に並べて設けた例を示しており、この蓋体７ａの左右の畳部と、その前方側に設置された二つの第１畳コーナー収納箱１，１の上面側のそれぞれの畳部１３，１３とを、前後に連なるように配置した例を示している。また、この第２畳コーナー収納箱７の上面側の畳部の上面は、各第１畳コーナー収納箱１，１の上面側の畳部１３，１３の上面に連なるようにこれら畳部１３，１３の上面と略同一平面状となるように形成されている。
【００３２】
このような上方に開口する収納箱本体７ｂの上方開口を開閉する蓋体７ａを備えた第２畳コーナー収納箱７を第１畳コーナー収納箱１の後方側で壁側に設置することで、第１畳コーナー収納箱１の後方側の畳コーナーにも収納部が設けられることとなる。
また、第２畳コーナー収納箱７は、半床下型とされ、また、畳一帖程度とされているので、比較的に大容量の収納部となり、この収納部に第１畳コーナー収納箱１の蓋体３０を収納することもできる。
【００３３】
なお、互いに隣接する収納箱１，７同士をねじやボルト等の連結部材によって連結するようにしてもよい。また、壁６側に設置される収納箱１，７と壁６とを上記同様の連結部材で連結するようにしてもよい。
また、各収納箱１，７の畳部間に隙間が形成されるような場合には、隙間を塞ぐ目地材（フィラー材）等の隙間閉塞部材を設けるようにしてもよい。また、壁６側に設置される収納箱１，７と壁６との間に隙間が形成されるような場合には、壁６側の収納箱１，７と壁６との間の隙間を塞ぐ框材等の隙間閉塞部材を設けるようにしてもよい。
【００３４】
また、本例では、上記のように設置された第１畳コーナー収納箱１の天井４側に、間仕切パネル８の上端部８ａ（図５及び図６参照）を保持する保持部５ａを有した上レール５を設けている。図例では、保持部として、上レール５に、下方側に向けて開口する係合凹溝５ａを、左右方向（長手方向）の全長に亘って設けた例を示している。また、図例では、この上レール５を、図５及び図６に示すように天井４に埋め込むようにして設けた例を示している。なお、このように上レール５を天井４に埋め込むように設ける態様に代えて、天井４に沿わせるように上レール５を設ける態様としてもよい。
【００３５】
また、図例では、二本の上レール５，５を前後方向に間隔を空けて設けた例を示している。これら上レール５，５の長さ寸法は、左右に横並びに設けられた複数の第１畳コーナー収納箱１，１，１，１の左右方向全長と略同寸法とされている。
後方側の上レール５は、図５（ｂ）及び図６に示すように、その係合凹溝５ａが、第１畳コーナー収納箱１の引出体２０を収納箱本体１０に収納させた状態における引出体２０の前板２１上端部の係合凹溝２３ｂと前後方向で一致する位置となるように、この状態の前板２１の係合凹溝２３ｂの上方側に設けられている。
前方側の上レール５は、図５（ａ）及び図６に示すように、その係合凹溝５ａが、第１畳コーナー収納箱１の引出体２０を引き出した状態における引出体２０の前板２１上端部の係合凹溝２３ｂと前後方向で一致する位置となるように、この状態の係合凹溝２３ｂの上方側に設けられている。
【００３６】
間仕切パネル８は、図６に示すように、上端部８ａに、上レール５の保持部としての係合凹溝５ａに保持される係合部を有し、下端部８ｂに、前板２１の上端部に設けられた下端保持部としての係合凹溝２３ｂに保持される係合部を有している。図例では、間仕切パネル８の上端部８ａ及び下端部８ｂを、天井４側の係合凹溝５ａ及び引出体２０側の係合凹溝２３ｂに対応させて、これら係合凹溝５ａ，２３ｂに嵌め込まれる係合突部とした例を示している。この間仕切パネル８は、その上下の係合突部８ａ，８ｂが、天井４側の係合凹溝５ａ及び引出体２０側の係合凹溝２３ｂに着脱自在に嵌め込まれ、いわゆるけんどん式で、引出体２０の前板２１と天井４との間に建て付けられる。
また、本例では、間仕切パネル８は、図５に示すように、そのパネル幅寸法（左右寸法）が、第１畳コーナー収納箱１の左右寸法と略同寸法とされており、第１畳コーナー収納箱１の個数に応じて複数枚（図例では、四枚）設けられている。
【００３７】
上記構成とされた畳コーナーユニット９は、図２〜図６に示すように、種々の使用態様で使用が可能とされている。
図２では、上記した四つの第１畳コーナー収納箱１のそれぞれの引出体２０を収納箱本体１０に収納させた状態を示している。この状態では、二つの第２畳コーナー収納箱７と四つの第１畳コーナー収納箱１とによって四帖程度の畳コーナー（小畳コーナー）が、三方が壁６によって囲まれた建物内空間に形成される。また、この状態では、図３に示すように、引出体２０を引き出すことで、収納物を出し入れできる。
図４では、上記した四つの第１畳コーナー収納箱１のそれぞれの引出体２０を引き出し、蓋体３０をそれぞれ載せ置いた状態を示している。この状態では、二つの第２畳コーナー収納箱７と四つの第１畳コーナー収納箱１とによって六帖程度の畳コーナー（大畳コーナー）が、三方が壁６によって囲まれた建物内空間に形成される。
【００３８】
図５（ａ）では、上記した図４の状態の四つの第１畳コーナー収納箱１と、前方側の上レール５との間に間仕切パネル８を保持させて、畳コーナーを仕切った例を示している（図６も参照）。この状態では、上記した各収納箱１，７と間仕切パネル８とによって六帖程度の畳ルーム（大畳ルーム）が、三方が壁６によって囲まれた建物内空間に形成される。
図５（ｂ）では、上記した図２の状態の四つの第１畳コーナー収納箱１と、後方側の上レール５との間に間仕切パネル８を保持させて、畳コーナーを仕切った例を示している（図６も参照）。この状態では、上記した各収納箱１，７と間仕切パネル８とによって四帖程度の畳ルーム（小畳ルーム）が、三方が壁６によって囲まれた建物内空間に形成される。
上記のように本実施形態に係る複数の第１畳コーナー収納箱１を備えた本例に係る畳コーナーユニット９によれば、使用者の利用したい状況に応じて、建物内空間に大小の畳コーナー及び大小の畳ルームを容易に形成することができる。
【００３９】
なお、上記した例では、間仕切パネル８をいわゆるけんどん式で上レール５と第１畳コーナー収納箱１の引出体２０の前板２１との間に建て付ける構造とした例を示しているが、このような態様に限られない。例えば、間仕切パネル８の上端に上レール５に支持されるランナー部材を設け、上レール５を、このランナー部材を案内支持する構造としてもよい。この場合は、間仕切パネル８の下端部に、第１畳コーナー収納箱１の引出体２０の前板２１の係合凹溝２３ｂに係合するピボットを設けるようにしてもよい。また、この場合は、例えば、前後の上レール５，５を連結する連結上レールを設け、この連結上レールを介して各間仕切パネル８を、前後の上レール５，５間を移動自在とした構造としてもよい。また、この場合は、間仕切パネル８が不要な場合には、複数枚の間仕切パネル８を重ね合わせるようにして、左右の一方の壁６に沿わせて前後の上レール５，５で支持させ得る態様としてもよい。さらに、左右一方の壁６にこれら間仕切パネル８を収納する凹所を設けるようにしてもよい。その他、間仕切パネル８の保持態様や収納態様としては、種々の態様の採用が可能である。さらには、このような間仕切パネル８を設けない態様としてもよい。この場合は、上レール５及び第１畳コーナー収納箱１の引出体２０の前板２１の係合凹溝２３ｂは不要である。
【００４０】
また、上記した例では、第２畳コーナー収納箱７を半床下型とした例を示しているが、床２上に設置されるものとしてもよい。また、この第２畳コーナー収納箱７の平面視における寸法を畳一帖程度とした例を示しているが、畳半帖程度としてもよい。さらに、この第２畳コーナー収納箱７とその前方の第１畳コーナー収納箱１とを本実施形態に係る畳コーナー収納箱として把握するようにしてもよい。つまり、前方に開口し、引出体２０を出し入れ自在に設けた前方側の収納部１０と、その後方側に設けられ、上方開口が蓋体７ａで開閉される収納部７ｂと、を有した畳コーナー収納箱として把握するようにしてもよい。
【００４１】
さらに、上記した例では、四帖程度の畳コーナーと六帖程度の畳コーナーとを形成し得る畳コーナーユニット９を例示しているが、各収納箱１，７の個数や設置態様、さらには平面視における寸法を適宜、変形することで、種々の帖数の畳コーナーを形成し得る態様としてもよい。
さらにまた、上記した例では、三方が壁６で囲まれた空間に複数の収納箱１，７を設けた例を示しているが、このような態様に限られず、建物内空間の隅部で交差する二方壁に沿わせるように設けるようにしてもよく、その他、種々の設置態様の採用が可能である。
また、上記した例では、複数の収納箱１，７によって平面視して略矩形状の畳コーナーを形成した例を示しているが、このような態様に限られない。これら複数の収納箱１，７によって、平面視して略Ｌ字状や略Ｃ字状（略コ字状）の畳コーナーを形成する態様としてもよく、その他、種々の設置態様の採用が可能である。
【符号の説明】
【００４２】
１      畳コーナー収納箱
１０    収納箱本体
１３    畳部
１３ａ  畳部の一側部
１７    前方開口（開口）
２０    引出体
２１    前板
２３    框状部（前板の上端部）
２３ｂ  係合凹溝（下端保持部）
２８    キャスター（車輪）
２９    上方開口
３０    蓋体
３２    畳部
２      床
４      天井
５ａ    係合凹溝（保持部）
８      間仕切パネル
８ａ    上端部
８ｂ    下端部
【図１】
2013042863.tif 000003
【図２】
2013042863.tif 000004
【図３】
2013042863.tif 000005
【図４】
2013042863.tif 000006
【図５】
2013042863.tif 000007
【図６】
2013042863.tif 000008